(57)【要約】【課題】容易にマナーモードとすることを可能であるだけではなく、他の人が容易にマナーモードであることを知ることが可能な携帯電話装置を提供する。【解決手段】制御回路１１は、ベースバンド部３から着信があることを示す信号を検出した場合、接続コネクタ１６の端子１５が接地されたと判定している（接続コネクタ１６にプラグが挿入されたと判定している）と、スピーカ８から呼出音を出力しないように制御する。又、制御回路１１は、接続コネクタ１６の端子１５が接地されたと判定する（接続コネクタ１６にプラグが挿入されたと判定する）と、電話通信部１とベースバンド部３と制御回路１１以外の電源の供給を断とすることも可能である。【選択図】　　　　図１
2004048572.tif 000002
【特許請求の範囲】
【請求項１】
着信検出手段と、外部装置と接続する為のコネクタと、呼出音を出力するスピーカと、前記着信検出手段が着信を検出した際に前記コネクタにプラグが接続されていると判定すると、前記接続に基づいて前記スピーカからの出力のオン、オフを制御する制御手段と、を有することを特徴とする通信装置。
【請求項２】
無線信号の送受信を行う送受信手段と、外部装置と接続する為のコネクタと、呼出音を出力するスピーカと、制御手段と、を有し、
前記制御手段は、前記コネクタにプラグが接続されたと判定すると、通信装置の電源を断とするように制御することを特徴とする通信装置。
【発明の詳細な説明】
【０００１】
【発明の属する技術分野】
本発明は、通信装置、特に携帯電話装置に関する。
【０００２】
【従来の技術】
携帯電話の爆発的な普及により、あらゆる場所でユーザが携帯電話を使用する姿を見掛けるようになった。その使用場所は、歩道、喫茶店、駅のホーム、車内と様々である。
【０００３】
このように、携帯電話は、電波の届く場所であればどのような場所でも通話ができるという利便性を有する半面、他の人に迷惑をかけることがしばしばある。
【０００４】
例えば、映画館で携帯電話を使用する場合には、上映中に着信音が鳴ることにより他人に迷惑をかけてしまう。又、病院で使用する場合には、他の人がうるさいと感じるだけでなく、医療機器が誤動作を起こす可能性もあり、最悪の場合、生命にかかわる問題が生じることとなる。更に、車内で使用する場合には、病院での使用と同様に、他の人がうるさいと感じるだけでなく、例えばペースメーカーを使用しているユーザが近くにいる場合には、ペースメーカーを誤動作させる危険もある。
【０００５】
このような問題を回避するために、ユーザは予め電源を切っておくか、マナーモードに設定する必要がある。前記マナーモードとは、着信時に着信音を出力しない機能であり、例えば、特開２０００−５０３５３号公報にて提案されている。
【０００６】
【発明が解決しようとする課題】
前記マナーモードを使用する際には、以下のような問題が生じる。まず、マナーモードを実行する為の操作は機種により複雑な場合もあり、ユーザが一々設定操作を行うのは面倒である。又、携帯電話が電源オフとなっていても、他の人からは電源オフかどうかはわからない。この為、携帯電話のユーザの近くに、例えばペースメーカを使用している人がいる場合、ペースメーカを使用している人は、ユーザが携帯電話を所持しているのを見て非常に不安となる。
【０００７】
【課題を解決するための手段】
本発明はこのような課題を解決する為のものであり、容易に電源をオフ或いはマナーモードとすることができると共に、他の人に容易に電源オフ状態或いはマナーモードであることを知らせるものである。
【０００８】
請求項１記載の通信装置は、着信検出手段と、外部装置と接続する為のコネクタと、呼出音を出力するスピーカと、前記着信検出手段が着信を検出した際に前記コネクタにプラグが接続されていると判定すると、前記接続に基づいて前記スピーカからの出力のオン、オフを制御する制御手段と、を有することを特徴とする。
【０００９】
請求項２記載の通信装置は、無線信号の送受信を行う送受信手段と、外部装置と接続する為のコネクタと、呼出音を出力するスピーカと、制御手段と、を有し、
前記制御手段は、前記コネクタにプラグが接続されたと判定すると、前記送受信手段と前記制御手段以外の回路への電源供給を断とするように制御することを特徴とする。
【００１０】
【発明の実施の形態】
図１は、本発明を適用してなる実施例装置である通信装置（例えば、携帯電話装置）のブロック図である。
【００１１】
図１において、通信部１は、後述するベースバンド部３からの信号をアンテナ２を介して基地局へ発信したり、アンテナ２を介して基地局からの電波を受信したりする。
【００１２】
ベースバンド部３は、ＣＤＭＡ（Ｃｏｄｅ　Ｄｉｖｉｓｉｏｎ　Ｍｕｉｔｉｐｌｅ　Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１３】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１４】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１５】
マイクロプロセッサからなる制御回路１１は、例えばＲＯＭ（Ｒｅａｄ　Ｏｎｌｙ　Ｍｅｍｏｒｙ）からなる第１格納部１２に格納されたシステムプログラムに基づいて、各部を制御する。又、制御回路１１は、時刻を計時する機能も備えている。
【００１６】
第２格納部１３は、例えばＳＲＡＭ（Ｓｔａｔｉｃ　Ｒａｎｄｕｍ　Ａｃｃｅｓｓ　Ｍｅｍｏｒｙ）からなり、相手側の電話番号と名称を複数格納可能である。
【００１７】
表示部１４は、電話番号や相手先の氏名等を表示する。
【００１８】
入力部１５は、通話キー、切キー、テンキー、電源キー等からなる。
【００１９】
接続コネクタ１６は、充電或いは通信を行う為のコネクタであり、充電を行う際には、前記接続コネクタ１６に充電用のプラグ１８が挿入され、通信を行う際には、例えばパソコンと携帯電話装置を接続する為のプラグ１８が前記接続コネクタ１６に挿入される。又、前記接続コネクタ１６には、後述する、携帯電話装置の電源をオフする或いはマナーモードとする為のプラグ１８を挿入可能である。
【００２０】
尚、上記プラグ１８は、例えば、ＤＤＩセルラーグループ、日本移動通信（株）が策定した、ＣＤＭＡセルラーホン、セルラーホン共通仕様書に記載され、規格されているコネクター、「ＣＤＭＡ−ＯＮＥ　ＮＣ−Ｒ１−１８」である。
【００２１】
バイブレータ１７は、携帯電話１００を振動させる為のモータと振動部（図示せず）とを有する。
【００２２】
図２は、前記接続コネクタ１６にプラグ１８を挿入した際の携帯電話１００の斜視図である。
【００２３】
図２において、携帯電話１００は、アンテナ２、表示部１４、入力部１５、接続コネクタ１６を有しており、前記接続コネクタ１６にプラグ１８を挿入することにより、携帯電話１００の電源を断とする或いはマナーモードとすることが可能である。
【００２４】
又、前記プラグ１８の表面には、例えば、通信停止と大きく記載されている。この為、他の人は、携帯電話の電源が断となっているか或いはマナーモードであるか否かを知ることができる。
【００２５】
図３は、前記接続コネクタ１６とプラグ１８の接続形態図である。
【００２６】
図３において、１〜１８は、端子番号を示している。又、図３に示す破線は、コネクタ１６の端子と、プラグ１８の端子が接続可能であることを示している。
【００２７】
端子１（接地）は、接地端子であり、携帯電話１００側でグランドへと接地されている。端子２（送信音声信号）は、携帯電話１００からプラグ１８へ向けてアナログ音声を出力する為の端子である。
【００２８】
端子３（ＣＣ）は、プラグ１８から携帯電話１００へ、プラグ１８が携帯電話１００へ接続されたことを通知する為の端子である。端子４（受信音声信号）は、プラグ１８から携帯電話１００へアナログ音声を出力する為の端子である。
【００２９】
端子５（ＣＦ）は、データ通信時にＰＰＰ（Ｐｏｉｎｔ　ｔｏ　Ｐｏｉｎｔ　Ｐｒｏｔｏｃｏｌ）を再確立しなければならないことをプラグ１８から携帯電話１００へ知らせる為の端子である。尚、前記ＰＰＰは、シリアルラインを用いて通信する為の物理層／データリンク層のプロトコルである。
【００３０】
端子６（ＢＡ）は、データ通信時における上り（プラグ１８から携帯電話１００へ）データ用の端子である。端子７（ＣＢ）は、上りデータを制御する為の端子である。
【００３１】
端子８（制御信号１）は、端末等から携帯電話１００を操作する信号を受信する為の端子である。携帯電話１００からプラグ１８へ）データを送信する為の端子である。
【００３２】
端子１０（制御信号２）は、端末等から携帯電話１００を制御する信号を受信する為の端子である。端子１１（上りシリアル）は、携帯電話１００からプラグ１８にシリアル信号を送信する為の端子である。
【００３３】
端子１２（ＣＥ）は、データ通信時にＭＴＸを制御する信号をプラグ１８から携帯電話１００側へ送信する為の端子である。尚、前記ＭＴＸとは、モデムカード等のデータ通信オプションを示す。
【００３４】
端子１３（下りシリアル信号）は、プラグ１８から携帯電話１００へシリアル信号を送信する為の端子である。端子１４（ＣＤ）は、データ通信用のＭＴＸの接続を検出するための信号を携帯電話１００からプラグ１８へ送信する為の端子である。
【００３５】
端子１５（電源）は、電源をオフする又はマナーモードとする為のプラグ１８が接続されたことを示す信号を送信する為の端子である。
【００３６】
端子１６（空き）は、空き端子である。端子１７（ＣＪ）は、データ通信時に下りデータを制御する信号を携帯電話１００からプラグ１８へ送信する為の端子である。端子１８（接地）は、接地されている。
【００３７】
尚、接続コネクタ１６の端子１５に対応するプラグ１８の端子は、プラグ１８の内部にて接地されている。
【００３８】
次に、本実施例装置の動作について以下に説明する。
【００３９】
先ず、接続コネクタ１６にプラグ１８が接続されていない状態では、制御回路１１は、接続コネクタ１６の端子１５に例えば１．５ボルトの電圧を供給している。前記接続コネクタ１６にプラグ１８が挿入されると、接続コネクタ１６の端子１５に対応するプラグ１８の端子が接地されている為、接続コネクタ１６の端子１５が接地される。前記制御回路１１は、接続コネクタ１６の端子１５が接地されたと判定すると、電源をオフする。尚、前記電源オフとは、例えば、制御回路１１、電話通信部１及びベースバンド部３以外の回路に電源を供給しない状態、或いは、制御回路１１にのみ電力が供給されている状態を示す。
【００４０】
又、制御回路１１が、接続コネクタ１６の端子１５が接地されたと判定すると、携帯電話１００をマナーモードとする構成としても良い。
【００４１】
この場合、制御回路１１は、ベースバンド部３から着信があることを示す信号を検出した際に、接続コネクタの端子１５が接地されていると判定すると、スピーカ８から着信音を出力せずに、バイブレータ１７を駆動する。
【００４２】
以上説明したように、本実施例装置では、接続コネクタ１６にプラグ１８を挿入すると、自動的に電源オフ又はマナーモードとなるため、ユーザは一々マナーモードを実行する為の操作を行う必要がない。
【００４３】
又、プラグ１８の表面には通信停止と大きく記載されている為、他の人は、携帯電話が電源オフ又はマナーモードであることを容易に知ることができる。
【００４４】
尚、本実施例では、携帯電話装置について実施したが、ＰＨＳ（Ｐｅｒｓｏｎａｌ　Ｈａｎｄｙｐｈｏｎｅ　Ｓｙｓｔｅｍ）等の他の通信装置においても実施可能である。
【００４５】
【発明の効果】
本発明では、容易にマナーモードとすることを可能であるだけではなく、他の人が容易にマナーモードであることを知ることが可能である。
【図面の簡単な説明】
【図１】本発明を適用してなる実施例装置のブロック図である。
【図２】本実施例装置の斜視図である。
【図３】プラグ１８と接続コネクタ１６の接続形態図である。
【符号の説明】
８　スピーカ
１１　制御回路
１３　第２格納部
１５　入力部
１６　接続コネクタ
１７　バイブレータ
１８　プラグ
【図１】
2004048572.tif 000003
【図２】
2004048572.tif 000004
【図３】
2004048572.tif 000005